(57)【要約】【課題】循環中の温水を他の目的のために利用することで相乗効果を発揮することができ、汎用性を向上することができる浴室用温水循環装置を提供する。【解決手段】浴槽１２内の温水を汲み上げるポンプ１３と、ポンプ１３で汲み上げた温水を段階的に下方へと放出する複数段の樋部材１４，１５，１６，１７と、複数段の樋部材１４，１５，１６，１７を支持する脚部１８と、最下段に位置する樋部材１７から浴槽１２内に跨って設けられ且つ最下段に位置する樋部材１７から浴槽１２に向けて放出される温水を直接吸水する吸水布１９と、を備えている。【選択図】図１
2010156518.tif 000002
【特許請求の範囲】
【請求項１】
浴槽内の温水を汲み上げるポンプと、該ポンプで汲み上げた温水を段階的に下方へと放出する複数段の樋部材と、該複数段の樋部材を支持する脚部と、前記複数段の樋部材のうち最下段に位置する前記樋部材から浴槽内に跨って設けられ且つ前記最下段に位置する樋部材から浴槽に向けて放出される温水を直接吸水する吸水布と、を備えていることを特徴とする浴室用温水循環装置。
【請求項２】
前記脚部の前記最下段に位置する樋部材よりも上方に略水平方向に配置された竿体と、前記最下段に位置する樋部材内に下端が臨み且つ前記竿体に上端が支持されることによって前記最下段に位置する樋部材内の温水の一部を吸水する第２の吸水布と、を備えていることを特徴とする請求項１に記載の浴室用温水循環装置。
【請求項３】
前記最下段に位置する樋部材は、上段の前記樋部材から放出された温水を浴槽内の利用者頭部よりも上方で受け継ぐように利用者頭部よりも上方に離間配置されると共に利用者足側に浴槽に向けて温水を放出する放出部が配置されていることを特徴とする請求項１又は請求項２に記載の浴室用温水循環装置。
【請求項４】
前記ポンプには汲み上げた浴槽内の温水を前記複数段の樋部材のうち最上段に位置する樋部材の上方にまで給送するホースが接続され、該ホースの先端には浴室内壁面に着脱可能に保持されるシャワーヘッドが接続されていることを特徴とする請求項１乃至請求項３の何れかに記載の浴室用温水循環装置。
【発明の詳細な説明】
【技術分野】
【０００１】
本発明は、特に家庭用の浴室内に設置されて浴槽内の温水を循環させつつせせらぎ音を発生させる浴室用温水循環装置に関する。
【背景技術】
【０００２】
従来から、公衆浴場等の比較的大きな浴室内には、新たな温水（例えば、温泉等）或いは浴槽内の温水を浴槽内に向けて放出する温水追加システム又は温水循環システムが周知である。
【０００３】
一方、家庭用の比較的狭い浴槽内においても、浴槽内の温水をポンプで汲み上げると共に、その汲み上げた温水を浴槽内へと放出する循環経路中に、温水の流れを利用してせせらぎ音を発生させ、利用者へのリラックス効果とポンプモータ音の打ち消し効果とを発揮させるようにした浴室用温水循環装置も知られている（例えば、特許文献１，２参照）。
【先行技術文献】
【特許文献】
【０００４】
【特許文献１】実開平０６−０６７０９７号公報
【特許文献２】登録実用新案第３０２１９０２号公報
【発明の概要】
【発明が解決しようとする課題】
【０００５】
ところが、上記の如く構成された浴室用温水循環装置にあっては、単に温水を循環させる循環過程でせせらぎ音を発生させるのみで、循環中の温水を他の目的のために利用することで相乗効果を発揮するものではなく、汎用性が低いという問題があった。
【０００６】
そこで、本発明は、上記事情を考慮し、循環中の温水を他の目的のために利用することで相乗効果を発揮することができ、汎用性を向上することができる浴室用温水循環装置を提供することを目的とする。
【課題を解決するための手段】
【０００７】
本発明の浴室用温水循環装置は、浴槽内の温水を汲み上げるポンプと、該ポンプで汲み上げた温水を段階的に下方へと放出する複数段の樋部材と、該複数段の樋部材を支持する脚部と、前記複数段の樋部材のうち最下段に位置する前記樋部材から浴槽内に跨って設けられ且つ前記最下段に位置する樋部材から浴槽に向けて放出される温水を直接吸水する吸水布と、を備えていることを特徴とする。
【０００８】
この際、前記脚部の前記最下段に位置する樋部材よりも上方に略水平方向に配置された竿体と、前記最下段に位置する樋部材内に下端が臨み且つ前記竿体に上端が支持されることによって前記最下段に位置する樋部材内の温水の一部を吸水する第２の吸水布と、を備えているのが好ましい。
【０００９】
また、前記最下段に位置する樋部材は、上段の前記樋部材から放出された温水を浴槽内の利用者頭部よりも上方で受け継ぐように利用者頭部よりも上方に離間配置されると共に利用者足側に浴槽に向けて温水を放出する放出部が配置されているのが好ましい。
【００１０】
さらに、前記ポンプには汲み上げた浴槽内の温水を前記複数段の樋部材のうち最上段に位置する樋部材の上方にまで給送するホースが接続され、該ホースの先端には浴室内壁面に着脱可能に保持されるシャワーヘッドが接続されるのが好ましい。
【発明の効果】
【００１１】
本発明の浴室用温水循環装置は、循環中の温水を他の目的のために利用することで相乗効果を発揮することができ、汎用性を向上することができる。
【図面の簡単な説明】
【００１２】
【図１】本発明の一実施形態に係る浴室用温水循環装置を家庭用浴室内に設置した状態の説明図である。
【図２】本発明の一実施形態に係る浴室用温水循環装置の要部の断面図である。
【発明を実施するための形態】
【００１３】
次に、本発明の一実施形態に係る浴室用温水循環装置について、図面を参照して説明する。
【００１４】
図１は本発明の一実施形態に係る浴室用温水循環装置を家庭用浴室内に設置した状態の説明図、図２は本発明の一実施形態に係る浴室用温水循環装置の要部の断面図である。
【００１５】
図１に示すように、本発明の一実施形態に係る浴室用温水循環装置１１は、浴槽１２内の温水を汲み上げるポンプ１３と、ポンプ１３で汲み上げた温水を段階的に下方へと放出する複数段（例えば、４段）の樋部材１４，１５，１６，１７と、複数段の樋部材１４，１５，１６，１７を支持する脚部１８と、複数段の樋部材１４，１５，１６，１７のうち最下段に位置する樋部材１７から浴槽１２内に跨って設けられ且つ最下段に位置する樋部材１７から浴槽１２に向けて放出される温水を直接吸水する吸水布１９と、脚部１８の最下段に位置する樋部材１７よりも上方に略水平方向に配置された竿体２０と、竿体２０に上部が折り返されるように支持された第２の吸水布２１と、を備えている。
【００１６】
ポンプ１３には、家庭用電源（コンセント２２）から電源供給を受けることで駆動するものが用いられ、例えば、浴槽１２内の温水を再利用して洗濯水等に用いる際に使用される公知の（市販の）ポンプ等を用いることができる。また、ポンプ１３にはホース２３が接続され、このホース２３の先端には浴室内壁面に固定のヘッド受け２４に着脱可能に保持されるシャワーヘッド２５が接続されている。
【００１７】
これにより、ポンプ１３は、汲み上げた浴槽１２内の温水をホース２３を介して複数段の樋部材１４，１５，１６，１７のうち最上段に位置する樋部材１４の上方にまで給送することができる。また、ホース２３の先端にはシャワーヘッド２５が接続されていることから、ポンプ１３で汲み上げた浴槽１２内の温水をシャワーヘッド２５のシャワーノズル（図示せず）から放出することができる。
【００１８】
従って、浴室内設置の蛇口やシャワーノズルから放出される水を給湯器の稼動によって冷水から温水へと変わるまでに無駄な水を使用した後に掛け水等として利用するのではなく、浴槽１２内の温水をそのまま掛け水等として利用することができる。
【００１９】
複数段の樋部材１４，１５，１６，１７は、防錆性の樹脂等からなるものが用いられている。尚、複数段の樋部材１４，１５，１６，１７は、木材（例えば、半割りの竹）等でも良い。
【００２０】
ここで、本実施の形態においては、最上段に位置する樋部材１４は、図２に示すように、その底面に複数の放出孔１４ａが形成されており、この放出孔１４ａから次段（下段）の樋部材１５に向けて温水を放出する。尚、この放出孔１４ａの数（配置間隔等を含む）や大きさは、ポンプ１３で汲み上げる温水量に応じて設定され、少なくともポンプ１３で汲み上げた温水が樋部材１４から溢れ出ない程度に下段の樋部材１５に温水を放出する。この際、温水を次段の樋部材１５に向けて放出する際に、その放出音が使用者Ｐにとって騒音とならない程度の勢いに設定するのが好ましいため、放出孔１４ａの各孔径は比較的小さく、且つ、下段の樋部材１５との落差も比較的低く設定するのが好ましい。
【００２１】
また、２段目及び３段目の樋部材１５，１６は、基本的に同一のものが用いられ、その一側面に上段から放出された温水をさらに下段へと放出するための放出孔１５ａ，１６ａが形成されている。この際、放出孔１５ａ，１６ａは、互いに逆側の側面に形成されている。尚、この放出孔１５ａ，１６ａを上述したように一側面に形成した場合には、下段側の樋部材１６及び樋部材１７の端部は一側面よりも突出する必要があるが、上述した樋部材１４の放出孔１４ａと同様の孔等を一端寄りの底面に形成する等、その位置や数或いは大きさ等によって配置関係を適宜設定することができる。
【００２２】
このように、放出孔１５ａ，１６ａを各樋部材１５，１６の一箇所（一側面）に形成して温水を放出することにより、各樋部材１５，１６に対して下段に配置された樋部材１６，１７で温水を受け継ぐ際にせせらぎ音を発生させることができる。
【００２３】
最下段の樋部材１７は、上段の樋部材１６の放出孔１６ａとは逆側の端部から浴槽１２にむけて温水を放出するよう、その逆側の端部にエルボ継手等の放出部１７ａが設けられている。
【００２４】
脚部１８は、各樋部材１４，１５，１６，１７の両端付近で各樋部材１４，１５，１６，１７を挟む前後の計４箇所に配置され、各樋部材１４，１５，１６，１７を所望の角度並びに上下間隔で支持する。尚、各樋部材１４，１５，１６，１７を脚部１８に取り付ける取付部材に関しては、温水が満たされている状態でも脱落しない状態であれば、防錆性ワイヤ・ロープ・紐・クリップ・樋受け金具等、特に限定されるものではない。
【００２５】
この際、脚部１８に支持される各樋部材１４，１５，１６，１７は、特に、最下段に位置する樋部材１７にあっては、利用者Ｐの頭部よりも上方に配置すると共に、浴槽１２に向けて温水を放出する放出部１７ａを利用者Ｐの足側に配置するのが好ましい。
【００２６】
即ち、最下段に位置する樋部材１７、特に、上段に配置された樋部材１６の放出孔１６ａから放出された温水の受け継ぎ位置付近を利用者Ｐの頭部と略同一高さに配置してしまうと、その耳元付近でせせらぎ音が発生するため、かえって騒音となり易いという問題が生じてしまう。また、上段の樋部材１６の放出孔１６ａから放出された温水によって飛び跳ねた水滴等が利用者Ｐの顔に付着して不快感を発生させる虞がある。さらに、比較的狭い家庭用の浴槽１２であることから、利用者Ｐの顔付近からできるだけ離間した足元側から温水を放出する位置に放出部１７ａを配置するのが好ましい。
【００２７】
一方、吸水布１９は、放出部１７ａから放出される温水の勢いを留め、浴槽１２内への放出時の音を小さくして各樋部材１４，１５，１６から放出される温水によるせせらぎ音を打ち消さないようにする。また、吸水布１９は、放出部１７ａから放出される温水を一時的に保持することから、その保持した温水熱を発散することで浴室内の暖房効果を発揮する機能を具備することができる。尚、本実施の形態においては、吸水布１９の上端付近を脚部１８に固定した竿体２６に支持させたものを開示したが、例えば、放出部１７ａに直接支持させたり、竿体２０に支持させるなど、特に限定されるものではない。
【００２８】
第２の吸水布２１は、その下端が最下段に位置する樋部材１７内に臨み且つその上端が樋部材１７の直上に位置する樋部材１６に臨むように竿体２０に上部が折り返されるように支持されている。これにより、第２の吸水布２１の下端で樋部材１７の温水を毛細管現象によって吸水すると共に第２の吸水布２１の上端で樋部材１６の温水を毛細管現象によって吸水して一時的に温水を保持することができる。この第２の吸水布２１で保持した温水は、その熱を発散することで浴室内の暖房効果を発揮することができる。尚、第２の吸水布２１は、例えば、竿体２０の配置を最上段の樋部材１４付近とし、樋部材１４から放出される温水の跳ね飛び等を直接吸水するようにしても良い。
【００２９】
ところで、脚部１８は、各吸水布１９，２１で温水を吸水した際、各樋部材１４，１５，１６，１７にも温水が満たされていることから、全体的に重心位置が高くなってしまう。
【００３０】
そこで、脚部１８は、各樋部材１４，１５，１６，１７を挟む前後を対として各下端を跨ぐように支持台２７で支持されると共に、その上端を吸着盤２８等で浴室壁面に支持させる等、安定した支持状態を確保するのが好ましい。尚、例えば、脚部１８を伸縮可能に構成すると共にその上端にも支持台２７を設け、その上端の支持台２７を浴室天井に当接させて上下緊張状態で安定化を図る等、脚部１８の支持構造は上記実施の形態に限定されるものではない。
【産業上の利用可能性】
【００３１】
このように、本発明の浴室用温水循環装置１１によれば、最下段に位置する樋部材１７から浴槽１２内に跨って設けられ且つ最下段に位置する樋部材１７から浴槽１２に向けて放出される温水を直接吸水する吸水布１９を備えていることにより、循環中の温水を他の目的、即ち、放出部１７ａから放出される温水を一時的に保持して温水熱を発散することで浴室内の暖房効果を確保するために利用するといった相乗効果を発揮することができ、汎用性を向上することができる。
【符号の説明】
【００３２】
１１…浴室用温水循環装置
１２…浴槽
１３…ポンプ
１４…樋部材
１５…樋部材
１６…樋部材
１７…樋部材（最下段）
１７ａ…放出部
１８…脚部
１９…吸水布
２０…竿体
２１…第２の吸水布
【図１】
2010156518.tif 000003
【図２】
2010156518.tif 000004